(57)【要約】【課題】地震などにより柱や梁が変形した場合であっても、窓サッシュやドアユニットなどの建具の破損を抑制する。【解決手段】建物１には、互いに隣接する２本の柱１１２と互いに隣接する２本の梁とに囲まれた構造体開口領域１２が設けられ、構造体開口領域１２には、水平方向に延伸する棒状の水平部２１と水平部２１の長手方向の両端部から下側に延伸する２本の垂直部２２とを有し、建具を支持するための外枠２と、上側の梁１１１ａから下側に延出して外枠２の水平部２１の室外側に重畳する下がり壁４３と、が設けられ、外枠２の２本の垂直部２２の下端部は下側の梁１１１ｂに固定されており、外枠２の水平部２１は、上側の梁１１１ａの延伸方向に相対的に変位可能なように下がり壁４３に支承されている。【選択図】図４
2018021384.tif 000002
【特許請求の範囲】
【請求項１】
上下方向に延伸する複数の柱と水平方向に延伸する複数の梁とを有するとともに、前記複数の柱のうちの互いに隣接する２本の柱と前記複数の梁のうちの互いに隣接する２本の梁とに囲まれた開口領域が設けられる建物であって、
前記開口領域には、開閉可能な建具と、水平方向に延伸する棒状の水平部と前記水平部の長手方向の両端部から下側に延伸する２本の垂直部とを有し前記開閉可能な建具を支持する外枠と、前記互いに隣接する２本の梁のうちの上側の梁から下側に延出して前記外枠の前記水平部の室外側に重畳する第１の壁とが設けられ、
前記外枠の前記２本の垂直部の下端部は、前記互いに隣接する２本の梁のうちの下側の梁に固定されており、
前記外枠の前記水平部は、前記第１の壁に、前記上側の梁の延伸方向に相対的に変位可能に支承されていることを特徴とする開閉可能な建具を支持する外枠を有する建物。
【請求項２】
前記水平部には、前記上側の梁の延伸方向に延伸する長穴が設けられ、
前記水平部は、前記長穴に挿通されたネジによって前記第１の壁に前記上側の梁の延伸方向に相対的に変位可能に支承されることを特徴とする請求項１に記載の開閉可能な建具を支持する外枠を有する建物。
【請求項３】
前記水平部の室外側と室内側のそれぞれには、前記水平部の表面よりも摩擦係数が低い２枚組の低摩擦座金が互いに直接接触して設けられることを特徴とする請求項２に記載の開閉可能な建具を支持する外枠を有する建物。
【請求項４】
前記低摩擦座金は、ポリテトラフルオロエチレンからなることを特徴とする請求項３に記載の開閉可能な建具を支持する外枠を有する建物。
【請求項５】
前記水平部の室外側と室内側のそれぞれに設けられる２枚ずつの低摩擦座金は、前記水平部に近い側に設けられる第１の低摩擦座金と前記水平部から遠い側に設けられる第２の低摩擦座金であり、
前記第１の低摩擦座金には、前記上側の梁の延伸方向に延伸する長穴が設けられ、
前記第１の低摩擦座金は、前記水平部の室外側の室内側のそれぞれの表面に、前記第１の低摩擦座金に設けられる前記長穴と前記水平部に設けられる前記長穴とが重なるように接合されることを特徴とする請求項３または４に記載の開閉可能な建具を支持する外枠を有する建物。
【請求項６】
前記外枠は、前記水平部の長手方向の半分と前記２本の垂直部のうちの一方とが一体に結合された２つの分割体からなることを特徴とする請求項１から５のいずれか１項に記載の開閉可能な建具を支持する外枠を有する建物。
【請求項７】
前記第１の壁および前記外枠と前記柱との間の開口部を塞ぐ第２の壁がさらに設けられ、
前記第１の壁は、前記外枠の室外側に配置されるとともに、前記外枠に近い側の縁部は前記外枠の前記垂直部の室外側に重畳することを特徴とする請求項１から６のいずれか１項に記載の開閉可能な建具を支持する外枠を有する建物。
【請求項８】
前記第２の壁は、前記上側の梁に結合された上部壁と、前記下側の梁に結合された下部壁とを有し、
前記上部壁と下部壁との間には、水平方向に延伸するスリット状の隙間が設けられ、
前記上部壁および前記下部壁と前記柱との間には、上下方向に延伸するスリット状の隙間が設けられることを特徴とする請求項７に記載の開閉可能な建具を支持する外枠を有する建物。
【請求項９】
複数の前記外枠が前記梁の延伸方向に離れて設けられ、
複数の前記外枠どうしの間の開口部を塞ぐ第３の壁が設けられ、
前記第３の壁は、前記外枠の室外側に配置されるとともに、前記外枠に近い側の縁部は前記外枠の前記垂直部の室外側に重畳することを特徴とする請求項１から８のいずれか１項に記載の開閉可能な建具を支持する外枠を有する建物。
【請求項１０】
前記第３の壁は、前記上側の梁に結合された上部壁と、前記下側の梁に結合された下部壁とを有し、
前記上部壁と下部壁との間には、水平方向に延伸するスリット状の隙間が設けられることを特徴とする請求項９に記載の開閉可能な建具を支持する外枠を有する建物。
【発明の詳細な説明】
【技術分野】
【０００１】
本発明は、ドアユニットや窓サッシュなどの開閉可能な建具を支持する外枠を有する建物に関する。
【背景技術】
【０００２】
鉄筋コンクリート造や鉄骨鉄筋コンクリート造の建物は、例えば、上下方向に延伸する柱と水平方向に延伸する梁（横架材）とが結合された主構造体を有している。そして、この主構造体によって、地震などに対する建物の強度を維持している。また、水平方向に隣接する２本の柱と上下方向に隣接する２本の梁とに囲まれる領域（すなわち、主構造体の開口領域）には、所定の壁や窓サッシュやドアユニットが設けられる。
【０００３】
このような建物において、耐震性を高めるため、特許文献１には、上側の梁と一体の垂れ壁（方立壁）と下側の梁と一体の腰壁（方立壁）との間に隙間を設け、この隙間に制震ダンパーを設ける構成が開示されている。また、特許文献２には、雑壁（方立壁）の高さ方向の中間部にスリットを設けて上下別々の壁を形成し、上下の壁を制震装置で結合する構成が開示されている。
【０００４】
２本の柱と２本の梁とに囲まれる開口領域は、正面視において長方形や正方形に形成されるが、地震などによって建物が横揺れした場合には、この開口領域が正面視において平行四辺形状に変形することがある。この開口領域が変形すると、この開口領域に設けられる方立壁や窓サッシュやドアユニットも変形して破損することがある。具体的には、前述のようにこの開口領域が平行四辺形状に変形すると、この開口領域に設けられる方立壁の上縁と下縁（正面視における四辺形の上辺と下辺）とが反対方向に変位することになるため、方立壁や窓サッシュやドアユニットにはせん断力と引張力がかかる。また、この開口領域の変形によって、方立壁には圧縮力や引張力がかかることがある。さらに、横揺れによって方立壁が変位したり変形したりすると、方立壁に隣接して設けられる窓サッシュやドアユニットが方立壁に押されて破損することがある。
【先行技術文献】
【特許文献】
【０００５】
【特許文献１】特開平９−１７７３６４号公報
【特許文献２】特開２００１−１２３６９７号公報
【発明の概要】
【発明が解決しようとする課題】
【０００６】
地震によってドアユニットが破損して開閉できなくなると、ドアから避難することが困難となる。そこで、地震が発生した場合であっても、ドアは開閉できる状態に維持されることが要求される。また、柱や梁によって地震などに対する強度を確保する構造の建物において、柱や梁が破損していなければ建物の使用を継続できる。しかしながら、方立壁や窓サッシュやドアユニットが破損した場合には、これらを修理しなければならないから、その間は建物を使用できない。特許文献１や特許文献２に記載の構成では、制震ダンパーや制震装置の制震能力を超える横揺れが発生した場合には、方立壁が破損するおそれがある。このように、特許文献１や特許文献２には、建物の耐震性の向上を図る構成が開示されているが、方立壁や窓サッシュやドアユニットの破損を防止や抑制する構成は開示されていない。
【０００７】
上記実情に鑑み、本発明が解決しようとする課題は、地震などによって建物が横揺れした場合であっても、窓サッシュやドアユニットの破損を抑制してドアを開閉できる状態に維持し、緊急避難路の確保を可能にすること、および、方立壁や窓サッシュやドアユニットの破損を抑制し、建物の使用を継続できるようにすることである。
【課題を解決するための手段】
【０００８】
上記課題を解決するため、本発明は、上下方向に延伸する複数の柱と水平方向に延伸する複数の梁とを有するとともに、前記複数の柱のうちの互いに隣接する２本の柱と前記複数の梁のうちの互いに隣接する２本の梁とに囲まれた開口領域が設けられる建物であって、前記開口領域には、開閉可能な建具と、水平方向に延伸する棒状の水平部と前記水平部の長手方向の両端部から下側に延伸する２本の垂直部とを有し前記開閉可能な建具を支持する外枠と、前記互いに隣接する２本の梁のうちの上側の梁から下側に延出して前記外枠の前記水平部の室外側に重畳する第１の壁とが設けられ、前記外枠の前記２本の垂直部の下端部は、前記互いに隣接する２本の梁のうちの下側の梁に固定されており、前記外枠の前記水平部は、前記第１の壁に、前記上側の梁の延伸方向に相対的に変位可能に支承されていることを特徴とする。
【０００９】
前記水平部には、前記上側の梁の延伸方向に延伸する長穴が設けられ、前記水平部は、前記長穴に挿通されたネジによって前記第１の壁に前記上側の梁の延伸方向に相対的に変位可能に支承される構成であってもよい。
【００１０】
前記水平部の室外側と室内側のそれぞれには、前記水平部の表面よりも摩擦係数が低い２枚組の低摩擦座金が互いに直接接触して設けられる構成であってもよい。
【００１１】
前記低摩擦座金は、ポリテトラフルオロエチレンからなる構成であってもよい。
【００１２】
前記水平部の室外側と室内側のそれぞれに設けられる２枚ずつの低摩擦座金は、前記水平部に近い側に設けられる第１の低摩擦座金と前記水平部から遠い側に設けられる第２の低摩擦座金であり、前記第１の低摩擦座金には、前記上側の梁の延伸方向に延伸する長穴が設けられ、前記第１の低摩擦座金は、前記水平部の室外側の室内側のそれぞれの表面に、前記第１の低摩擦座金に設けられる前記長穴と前記水平部に設けられる前記長穴とが重なるように接合される構成であってもよい。
【００１３】
前記外枠は、前記水平部の長手方向の半分と前記２本の垂直部のうちの一方とが一体に結合された２つの分割体からなる構成であってもよい。
【００１４】
前記第１の壁および前記外枠と前記柱との間の開口部を塞ぐ第２の壁がさらに設けられ、前記第１の壁は、前記外枠の室外側に配置されるとともに、前記外枠に近い側の縁部は前記外枠の前記垂直部の室外側に重畳する構成であってもよい。
【００１５】
前記第２の壁は、前記上側の梁に結合された上部壁と、前記下側の梁に結合された下部壁とを有し、前記上部壁と下部壁との間には、水平方向に延伸するスリット状の隙間が設けられ、前記上部壁および前記下部壁と前記柱との間には、上下方向に延伸するスリット状の隙間が設けられる構成であってもよい。
【００１６】
複数の前記外枠が前記梁の延伸方向に離れて設けられ、複数の前記外枠どうしの間の開口部を塞ぐ第３の壁が設けられ、前記第３の壁は、前記外枠の室外側に配置されるとともに、前記外枠に近い側の縁部は前記外枠の前記垂直部の室外側に重畳する構成であってもよい。
【００１７】
前記第３の壁は、前記上側の梁に結合された上部壁と、前記下側の梁に結合された下部壁とを有し、前記上部壁と下部壁との間には、水平方向に延伸するスリット状の隙間が設けられる構成であってもよい。
【発明の効果】
【００１８】
本発明によれば、地震などによって建物が横揺れした場合であっても、窓サッシュやドアユニットの破損を抑制してドアを開閉できる状態に維持し、緊急避難路の確保を可能にすることができる。さらに、方立壁や窓サッシュやドアユニットの破損を抑制し、建物の使用を継続できるようにすることができる。
【図面の簡単な説明】
【００１９】
【図１】図１は、建物の要部の構成例を模式的に示す図である。
【図２】図２は、建物の要部の構成例を模式的に示す図である。
【図３】図３は、外枠の構成例を模式的に示す図である。
【図４】図４は、図１と図２のＩＶ−ＩＶ線断面図である。
【図５】図５は、図１と図２のＶ−Ｖ線断面図である。
【図６】図６は、すべり支承部の構成例を模式的に示す分解斜視図である。
【図７】図７は、本発明の作用および効果を説明する図である。
【発明を実施するための形態】
【００２０】
以下に、本発明の実施形態について、図面を参照して詳細に説明する。説明の便宜上、各図においては、適宜、建物の上側を矢印「Ｕｐ」で示し、下側を矢印「Ｄｎ」で示し、建物の室内側を矢印「Ｉｎ」で示し、室外側を矢印「Ｏｕｔ」で示す。また、梁の延伸方向を「左右方向」とし、上下方向と梁の延伸方向に直角な方向を「前後方向」とする。
【００２１】
（建物の構成）
図１と図２は、本発明の実施形態に係る建物１の要部の構成例を模式的に示す図である。なお、図１は、開閉可能な建具として窓サッシュ５１が設けられる構成例を示し、図２は、開閉可能な建具としてドアユニット５２が設けられる構成例を示す。また、図１（ａ）と図２（ａ）は建物１の室外側から見た図であり、図１（ｂ）と図２（ｂ）は建物１の室内側から見た図である。
【００２２】
本発明の実施形態に係る建物１は、鉄筋コンクリート造や鉄骨鉄筋コンクリート造の建物である。建物１は主構造体１１を有し、主構造体１１は互いに結合された複数の梁１１１と複数の柱１１２とを含んで構成される。複数の梁１１１は左右方向に延伸する部材（横架材）であり、複数の柱１１２は上下方向に延伸する部材である。なお、梁１１１や柱１１２の数や間隔などといった、主構造体１１の具体的な構成は特に限定されない。主構造体１１の具体的な構成は、建物１に構成に応じて適宜設定される。
【００２３】
建物１の主構造体１１には、上下方向に互いに隣接する２本の梁１１１ａ，１１１ｂと左右方向に隣接する２本の柱１１２とに囲まれた、前後方向視で四角形（正方形または長方形）の領域が設けられる。説明の便宜上、この領域を「構造体開口領域１２」と称する。なお、上下方向に隣接する２本の梁１１１ａ，１１１ｂのうち、上側の梁１１１ａは着目している階（フロア）の天井の梁であり、下側の梁１１１ｂは床の梁である。
【００２４】
この構造体開口領域１２には外枠２が設けられており、開閉可能な建具の例である窓サッシュ５１やドアユニット５２は、この外枠２に固定されて支持される。さらに、この構造体開口領域１２は、外枠２（外枠２に支持される窓サッシュ５１やドアユニット５２）と梁１１１や柱１１２との間の開口部を塞ぐように、所定の壁４が設けられる。そして、建物１は、外枠２および外枠２に固定される窓サッシュ５１やドアユニット５２と、開口部を塞ぐように設けられる所定の壁４とによって、室内側と室外側とに分けられる。
【００２５】
構造体開口領域１２に設けられる外枠２や所定の壁４と、外枠２に固定される窓サッシュ５１やドアユニット５２（開閉可能な建具）は、建物１の強度を確保する強度部材には含まれない。換言すると、建物１の主構造体１１は、構造体開口領域１２に外枠２や所定の壁４や開閉可能な建具などが設けられない状態であっても、必要な強度が確保されるように構成される。
【００２６】
（構造体開口領域に設けられる所定の壁の構成例）
ここで、外枠２の配置と、構造体開口領域１２に設けられる所定の壁４の構成例について説明する。まず、図１に示す例について説明する。図１に示す例では、構造体開口領域１２に２基の外枠２が左右方向に離れて設けられ、２基の外枠２のそれぞれに窓サッシュ５１が固定されて支持される。そして、構造体開口領域１２に設けられる所定の壁４として、方立壁４１と袖壁４２と下がり壁４３とが適用される。
【００２７】
方立壁４１は、構造体開口領域１２の左右方向の中央部に、２基の外枠２（窓サッシュ５１）どうしの間の開口部を塞ぐように設けられる。２つの袖壁４２は、構造体開口領域１２の左右方向の両端部寄りの部分に、外枠２（窓サッシュ５１）と柱１１２との間の開口部を塞ぐように設けられる。下がり壁４３は、２基の外枠２（窓サッシュ５１）のそれぞれの上側に、外枠２と上側の梁１１１ａとの間の開口部を塞ぐように設けられる。また、これらの方立壁４１と袖壁４２と下がり壁４３とは、外枠２に対して、いずれも前後方向（図１の紙面に直角な方向）を室外側にずれた位置に設けられる。
【００２８】
方立壁４１と２つの袖壁４２とは、いずれも、上部壁４１１，４２１と下部壁４１２，４２２とに分離している。上部壁４１１，４２１と下部壁４１２，４２２とは、前後方向視で四角形である。上部壁４１１，４２１は、それらの上縁部（前後方向視における上辺）が上側の梁１１１ａに結合しており、上側の梁１１１ａの下面から下側に向かって延出する。下部壁４１２，４２２は、それらの下縁部（下辺）が下側の梁１１１ｂに結合しており、下側の梁１１１ｂの上面から上側に向かって延出する。上部壁４１１，４２１と下部壁４１２，４２２には、例えば、鉄筋コンクリート造や鉄骨鉄筋コンクリート造などの壁が適用できる。この場合、上部壁４１１，４２１の鉄筋は上側の梁１１１ａの鉄筋に結合され、下部壁４１２，４２２の鉄筋は下側の梁１１１ｂの鉄筋に結合される。このように、上部壁４１１，４２１は上側の梁１１１ａに一体に結合しており、下部壁４１２，４２２は下側の梁１１１ｂに一体に結合している。ただし、方立壁４１や袖壁４２は、鉄筋コンクリート造や鉄骨鉄筋コンクリート造の壁に限定されない。例えば、ＡＬＣパネル、プレキャスト鉄筋コンクリート部材、金属パネルなどの２次部材を使用した壁であってもよい。
【００２９】
上部壁４１１，４２１と下部壁４１２，４２２との間には、前後方向視において、左右方向に延伸するスリット状の隙間４０１，４０２が設けられる。すなわち、上部壁４１１，４２１の下面（下辺）と下部壁４１２，４２２の上面（上辺）とは接触や結合しておらず、上下方向に所定の距離をおいて離れている。方立壁４１と袖壁４２が鉄筋コンクリート造や鉄骨鉄筋コンクリート造であれば、上部壁４１１，４２１の鉄筋と下部壁４１２，４２２の鉄筋とは、直接には繋がっていない。このように、上部壁４１１，４２１と下部壁４１２，４２２とは物理的にも強度的にも分離している。
【００３０】
上部壁４１１，４２１と下部壁４１２，４２２との間の隙間４０１，４０２の上下方向の位置は特に限定されないが、構造体開口領域１２の上下方向の中心の位置であることが好ましい。すなわち、上部壁４１１，４２１と下部壁４１２，４２２の上下方向寸法は、略同じであることが好ましい。また、これらの隙間４０１，４０２の上下方向寸法も特に限定されない。さらに、図１では、上部壁４１１，４２１の下面（下辺）と下部壁４１２，４２２の上面（上辺）とが平面（直線）であり、かつ互いに平行である例を示すが、このような構成に限定されない。要は、上部壁４１１，４２１と下部壁４１２，４２２とが上下方向に分離しており、かつ、上側の梁１１１ａおよび下側の梁１１１ｂの長手方向に反対側に相対的に変位した場合に、互いに接触しない構成（互いの変位を妨げない構成）であればよい。
【００３１】
袖壁４２の上部壁４２１および下部壁４２２と柱１１２との間には、上下方向に延伸するスリット状の隙間４０３が設けられる。そして、袖壁４２と柱１１２とは直接には結合しておらず、上下方向の全長に渡って左右方向に所定の距離をおいて離れている。この隙間４０３の左右方向寸法は特に限定されるものではないが、地震などによって柱１１２が変位や変形した場合に、袖壁４２の上部壁４２１および下部壁４２２と柱１１２とが接触しない寸法であることが好ましい。
【００３２】
下がり壁４３は、上側の梁１１１ａの下面から下側に向かって延出する。下がり壁４３には、鉄筋コンクリート造や鉄骨鉄筋コンクリート造などの壁が適用でき、この場合には、下がり壁４３の鉄筋は上側の梁１１１ａの鉄筋に結合される。ただし、下がり壁４３も、鉄筋コンクリート造や鉄骨鉄筋コンクリート造の壁に限定されない。例えば、方立壁４１や袖壁４２と同様に、ＡＬＣパネル、プレキャスト鉄筋コンクリート部材、金属パネルなどの２次部材を使用した壁であってもよい。下がり壁４３と方立壁４１との間、および下がり壁４３と袖壁４２との間には、上下方向に延伸するスリット状の隙間４０４が設けられており、下がり壁４３と方立壁４１および袖壁４２とは左右方向に所定の距離をおいて離れている。このように、下がり壁４３は、上側の梁１１１ａに一体に結合しているが、方立壁４１および袖壁４２とは直接には結合していない。
【００３３】
次に、図２に示す例について説明する。図２に示す例では、構造体開口領域１２の左右方向の中央部に１基の外枠２が設けられ、この１基の外枠２にドアユニット５２が固定される。そして、構造体開口領域１２に設けられる所定の壁４として、２つの方立壁４１と下がり壁４３とが適用される。
【００３４】
２つの方立壁４１は、１基の外枠２の左右両側のそれぞれに、外枠２と柱１１２との間の開口部を塞ぐように設けられる。下がり壁４３は、外枠２（ドアユニット５２）と上側の梁１１１ａとの間の開口部を塞ぐように設けられる。そして、方立壁４１と下がり壁４３とは、外枠２に対して、前後方向について室外側にずれた位置に設けられる。
【００３５】
図２に示す方立壁４１は、図１に示す方立壁４１と同様の構成が適用できる。すなわち、これらの方立壁４１は上部壁４１１と下部壁４１２とに分離しており、それらの間には水平方向に延伸するスリット状の隙間４０１が設けられる。また、２つの方立壁４１の上部壁４１１と下部壁４１２のそれぞれと２本の柱１１２のそれぞれとの間には、図１に示す袖壁４２と同様に、スリット状の隙間４０５が設けられる。このように、２つの方立壁４１のそれぞれと２本の柱１１２のそれぞれとは、左右方向に所定の距離をおいて離れており、直接には結合していない。方立壁４１の上部壁４１１と下部壁４１２との間の隙間４０１の寸法には、図１に示す例と同様の寸法が適用される。方立壁４１と柱１１２との間の隙間４０５の寸法には、図１に示す例の袖壁４２と柱１１２との間の隙間と同じ寸法が適用される。
【００３６】
下がり壁４３も、図１に示す下がり壁４３と同様の構成が適用できる。そして、下がり壁４３と方立壁４１との間には、上下方向に延伸するスリット状の隙間４０４が設けられる。このように、下がり壁４３と方立壁４１とは、左右方向に所定の距離をおいて離れており、直接には結合していない。
【００３７】
なお、構造体開口領域１２に設けられる所定の壁４は、これらの方立壁４１と袖壁４２と下がり壁４３に限定されない。これらの方立壁４１と袖壁４２と下がり壁４３は、構造体開口領域１２に設けられる所定の壁４の例示に過ぎない。要は、構造体開口領域１２には、「外枠と左右の柱との間の開口部を塞ぐ壁（図１に示す例では袖壁４２、図２に示す例では方立壁４１）」と、「外枠と上側の梁との間の開口部を塞ぐ壁（図１と図２に示す例では下がり壁４３）」とが設けられる構成であればよい。また、図１に示すように、１箇所の構造体開口領域１２に複数の外枠２が左右方向に離れて設けられる構成であれば、「複数の外枠どうしの間の開口部を塞ぐ壁（図１に示す例では方立壁４１）」がさらに設けられる構成であればよい。
【００３８】
そして、「外枠と左右の柱との間の開口部を塞ぐ壁」と「複数の外枠どうしの間の開口部を塞ぐ壁」とは、いずれも上下方向に分離している。「外枠と左右の柱との間の開口部を塞ぐ壁」と左右の柱１１２とは直接に結合しておらず、所定の距離をおいて離れている。さらに、「外枠と上側の梁との間の開口部を塞ぐ壁（下がり壁４３）」とそれら以外の壁とも直接に結合しておらず、左右方向に所定の距離をおいて離れている。すなわち、「外枠と上側の梁との間の開口部を塞ぐ壁」は、上側の梁１１１ａにのみ直接に結合する構成であり、それ以外の壁４や柱１１２には直接には結合しない構成でればよい。
【００３９】
また、図１と図２に示す例のいずれにおいても、方立壁４１と袖壁４２の上部壁４１１，４２１と下部壁４１２，４２２との隙間４０１，４０２には、充填材が充填されてもよい。ただし、充填材は、上部壁４１１，４２１と下部壁４１２，４２２とを強度的に結合せず、相対的な変位を阻害しないように構成される。例えば、充填材には、上部壁４１１，４２１と下部壁４１２，４２２よりも柔らかく変形容易な防火材などが適用できる。また、充填材は、上部壁４１１，４２１と下部壁４１２，４２２との間に充填されるのみであり、接着等されない構成であってもよい。下がり壁４３と方立壁４１や袖壁４２との隙間４０４、および、袖壁４２と柱１１２との隙間４０３についても同様である。
【００４０】
（外枠）
次に、外枠２の構成例について、図３を参照して説明する。図３は、外枠２の構成例を模式的に示す図である。外枠２は、窓サッシュ５１やドアユニット５２などといった開閉可能な建具を支持する構造体である。図３に示すように、外枠２は２つの分割体２０１を含んで構成される。
【００４１】
２つの分割体２０１のそれぞれは、左右方向に延伸する略棒状の水平部２１の分割部２１１（組み付けられた状態で水平部２１の長手方向の一部となる部分）と、水平部２１の分割部２１１の長手方向の一方の端部から下側に延伸する略棒状の垂直部２２とを有する。図３では、１つの分割部２１１が水平部２１の半分を形成する構成を例に示す。また、２つの分割体２０１は、それぞれ略「Ｌ」字形状を有しており、前後方向視において左右方向に対称な形状（線対称な形状）を有する。水平部２１の分割部２１１と垂直部２２には、例えば、溝形鋼（チャンネル）やＣ形鋼などの略棒状の形鋼が適用される。
【００４２】
水平部２１の分割部２１１の長手方向の一方の端部と垂直部２２の上端部とは、溶接などによって一体に結合される。また、水平部２１の分割部２１１の他方の端部には、ネジ穴が設けられた継ぎ板が一体に結合されており、水平部２１の分割部２１１の端部どうしを互いに突き合わせてネジにより固定される。これにより、外枠２は、略棒状の水平部２１と、水平部２１の両端部から下側に延伸する２本の略棒状の垂直部２２とを有し、前後方向視で略「コ」の字形状の構造体となる。このような構成であると、外枠２を分割体２０１の状態で搬送等できるから、取り扱いが容易となる。この他、水平部２１の分割部２１１には、前後方向に貫通し左右方向に長い長穴３２が設けられる。この長穴３２は、すべり支承部３の一部となる（後述）。
【００４３】
なお、本実施形態では、２つの分割体２０１のそれぞれが、水平部２１の分割部２１１と１本の垂直部２２を有し、分割部２１１が水平部の半分である構成を示したが、分割体２０１はこのような構成に限定されない。例えば、２つの分割体２０１の水平部２１の分割部２１１どうしの間に、さらに別の棒状の部材が設けられる構成であってもよい。この場合、この棒状の部材が、２つの分割体２０１の水平部２１の分割部２１１どうしの間に設けられ、外枠２の水平部２１の一部となる。また、外枠２の左右方向寸法と上下方向寸法は特に限定されない。外枠２は、窓サッシュ５１やドアユニット５２を内側に嵌め込むことができる寸法を有していればよく、支持対象である窓サッシュ５１やドアユニット５２の寸法に応じて適宜設定される。また、水平部２１および垂直部２２の断面寸法も特に限定されるものではない。水平部２１および垂直部２２がＣ形鋼や溝形鋼からなる構成であれば、例えば、６０ｍｍ×１２５ｍｍの断面寸法が適用できる。
【００４４】
外枠２に固定される窓サッシュ５１やドアユニット５２には、従来公知の窓サッシュやドアユニットが適用できる。例えば、窓サッシュ５１は、前後方向視において四角形の外形を有する。そして、窓サッシュ５１は、四角形のサッシュ枠５１１と、このサッシュ枠５１１に開閉可能（スライド式に移動可能）に取付けられるサッシュ窓５１２（サッシュ戸と称することもある）とを有する。ドアユニット５２は、前後方向視で四角形の外形を有するドア枠５２１と、このドア枠５２１に開閉可能に取り付けられるドア本体５２２とを有する。このように、外枠２に固定される窓サッシュ５１やドアユニット５２、すなわち開閉可能な建具は、枠体（サッシュ枠５１１やドア枠５２１）と、この枠体に開閉可能に取り付けられる部材（サッシュ窓５１２、ドア本体５２２）とを有する構成であればよい。
【００４５】
（外枠の組み付け構造）
次に、外枠２の建物１への組み付け構造について、図４と図５を参照して説明する。図４は図１図２のＩＶ−ＩＶ線断面図であり、図５は図１と図２のＶ−Ｖ線断面図であり、いずれも外枠２の建物１への組み付け構造を模式的に示す図である。
【００４６】
図４に示すように、下がり壁４３と外枠２の水平部２１とは前後方向視で重畳しており、外枠２の水平部２１の室外側の面と下がり壁４３の室内側の面とが互いに対向する。そして水平部２１は、すべり支承部３において、左右方向（上側の梁１１１ａの延伸方向）には相対的に変位可能であるが、下がり壁４３に対して前後方向には相対的に変位できないように支承（結合）される。すべり支承部３は、例えば、左右方向に所定の距離をおいて離れた２カ所に設けられる（図１と図２参照）。ただし、すべり支承部３の具体的な位置や数は限定されない。なお、すべり支承部３の詳細な構成については後述する。
【００４７】
外枠２の２本の垂直部２２の下端部のそれぞれは、下側の梁１１１ｂに固定される。例えば、下側の梁１１１ｂには、アンカー１２１などが埋め込まれるとともに、溶接などによってアンカー１２１に固定された支持プレート１２２がその表面が露出するように埋め込まれる。そして、垂直部２２の下端部は、全周に渡ってアングルピース１２３などを介して支持プレート１２２に溶接されて固定される（全周隅肉溶接される）。
【００４８】
図５に示すように、方立壁４１や袖壁４２と外枠２の垂直部２２とは前後方向視で重畳している。ただし、方立壁４１や袖壁４２と外枠２の垂直部２２とは、強度的には結合していない。
【００４９】
このように、外枠２は、水平部２１がすべり支承部３において下がり壁４３に左右方向に移動可能に支承され、２本の垂直部２２の下端部が下側の梁１１１ｂに固定される。一方、外枠２のそれら以外の部分は、建物１の強度確保や強度維持や強度的な支持を目的としては、構造体開口領域１２に設けられる所定の壁４や主構造体１１に結合されない。ただし、外枠２と方立壁４１や袖壁４２や下がり壁４３とは、外枠２が変形や破損するよりも小さい力で破断や分断するような結合箇所を介して結合していてもよい。この場合には、外枠２と方立壁４１や袖壁４２や下がり壁４３とが相対的に変位した場合には、このような結合箇所が破断等することにより、外枠２の変形等が防止される。
【００５０】
そして、外枠２の内側（外枠２と下側の梁１１１ｂに囲まれる領域）に、窓サッシュ５１やドアユニット５２が配置され、それらのサッシュ枠５１１とドア枠５２１のそれぞれが外枠２と下側の梁１１１ｂに固定される。このように、窓サッシュ５１のサッシュ枠５１１やドアユニット５２のドア枠５２１は、柱１１２や梁１１１（建物１の主構造体１１）や構造体開口領域１２に設けられる所定の壁４に直接に固定されるのではなく、外枠２を介して間接的に固定されて支持される。なお、窓サッシュ５１のサッシュ枠５１１やドアユニット５２のドア枠５２１と外枠２や下側の梁１１１ｂと固定構造は、特に限定されるものではない。これらの固定構造には、溶接など公知の各種固定構造が適用できる。
【００５１】
この他、図５に示すように、外枠２とサッシュ枠５１１やドア枠５２１との隙間には、公知の防火材や断熱材６０１などが充填される。外枠２と所定の壁４との間の隙間にも同様に防火材や断熱材６０１などが充填されてもよい。また、図４と図５に示すように、サッシュ枠５１１やドア枠５２１の外周部は、所定の壁４の室内側の面に、所定の距離をおいて対向する。そして、サッシュ枠５１１やドア枠５２１と所定の壁４の室内側の面との間の隙間は、公知のシール材６０２によって塞がれる。なお、防火材・断熱材６０１やシール材６０２の構造や種類は特に限定されるものではない。ただし、外枠２と所定の壁４との間の隙間に充填される防火材・断熱材６０１などは、外枠２と所定の壁４との相対的な変位を阻害しない強度や結合強度のものが適用される。同様に、外枠２に固定されたサッシュ枠５１１やドア枠５２１と所定の壁４との隙間に充填されるシール材６０２も、固定されたサッシュ枠５１１やドア枠５２１と所定の壁４との相対的な変位を阻害しない強度や結合強度のものが適用される。
【００５２】
（すべり支承部の構成）
次に、すべり支承部３の構成例について説明する。図６は、すべり支承部３の構成例を模式的に示す分解斜視図である。図６に示すように、すべり支承部３は、外枠２の水平部２１に設けられる長穴３２と、下がり壁４３に設けられるプレート部材３１と、下がり壁４３に設けられて長穴３２に挿通されるネジ３３と、ネジ３３に共締めされる２枚の座金３５および２枚ずつの第１の低摩擦座金３６１と第２の低摩擦座金３６２とを含んで構成される。
【００５３】
プレート部材３１は、例えば鋼材などからなる板状の部材であり、下がり壁４３の室内側の面にネジなどによって固定される。ネジ３３は、下がり壁４３からプレート部材３１を貫通して室内側に突出するように設けられる。ネジ３３は、例えば、埋め込み用アンカー３４を介して下がり壁４３に固定される。
【００５４】
水平部２１に設けられる長穴３２は、ネジ３３を挿通可能な貫通穴であり、前後方向に貫通し左右方向に延伸する。下がり壁４３に固定されたネジ３３が長穴３２に挿通された状態では、下がり壁４３（上側の梁１１１ａ）と外枠２とは、長穴３２の延伸方向である左右方向に相対的に変位可能となる。なお、長穴３２の長手方向寸法は特に限定されるものではない。ただし、長穴３２の長手方向寸法が、下がり壁４３（上側の梁１１１ａ）と外枠２との相対的な変位の許容量となる。このため、地震発生時における上側の梁１１１ａと下側の梁１１１ｂの相対的な変位量などに応じて適宜設定すればよい。例えば、１４０ｍｍ程度でよい。
【００５５】
２枚ずつの第１の低摩擦座金３６１および第２の低摩擦座金３６２は、いずれも、外枠２の水平部２１の表面および一般的な座金よりも摩擦係数が低い。例えば、第１の低摩擦座金３６１と第２の低摩擦座金３６２には、ポリテトラフルオロエチレン（テフロン（イー  アイ  デュポン  ドゥ  ヌムール  アンド  カンパニーの登録商標））により形成される構成や、表面にポリテトラフルオロエチレンの層が設けられる構成が適用できる。
【００５６】
第１の低摩擦座金３６１は、左右方向に長く前後方向に貫通する長穴が設けられた平板状の形状を有する。２枚の第１の低摩擦座金３６１は、水平部２１の室内側と室外側のそれぞれに、前後方向視でそれらに設けられる長穴が水平部２１に設けられる長穴３２と位置が一致する（水平部２１の長穴３２と第１の低摩擦座金３６１の長穴とが一連に繋がる）ように設けられる。そして、第１の低摩擦座金３６１は、水平部２１の室内側の表面と室外側の表面のそれぞれに、接着剤などによって接合される。一方、２枚の第２の低摩擦座金３６２の形状は特に限定されるものではなく、従来公知の各種角座金や丸座金と同様の形状が適用できる。そして、２枚の第２の低摩擦座金３６２は、それぞれ、２枚の第１の低摩擦座金３６１に直接接触するように設けられる。すなわち、水平部２１の室外側と室内側のそれぞれには、２枚組の低摩擦座金（第１の低摩擦座金３６１と第２の低摩擦座金３６２）が設けられる。
【００５７】
２枚の座金３５は、水平部２１と２枚ずつの第１の低摩擦座金３６１および第２の低摩擦座金３６２とを挟むように配置される。これらの２枚の座金３５には、従来公知の各種座金が適用できる。これらの座金３５の形状は特に限定されず、丸座金であっても角座金であってもよい。室内側に設けられる座金３５のさらに室内側には、スプリングワッシャ３７が配置される。そして、ナット３８により、水平部２１と、２枚ずつの第１の低摩擦座金３６１および第２の低摩擦座金３６２と、２枚の座金３５とスプリングワッシャ３７とが共締めされる。したがって、下がり壁４３の側から順に、プレート部材３１、座金３５、第２の低摩擦座金３６２、第１の低摩擦座金３６１、外枠２の水平部２１、第１の低摩擦座金３６１、第１の低摩擦座金３６２、座金３５、スプリングワッシャ３７の順に並ぶ。
【００５８】
このように、外枠２の水平部２１の室外側の表面と室内側の表面のそれぞれに、第１の低摩擦座金３６１が配置され、さらにこれら２枚の第１の低摩擦座金３６１のそれぞれに直接接触する２枚の第２の低摩擦座金３６２が設けられる。換言すると、外枠２の水平部２１の室外側と室内側のそれぞれに、２枚組の低摩擦座金（第１の低摩擦座金３６１および第２の低摩擦座金３６２）が、互いに直接接触するように配置される。このような構成であると、第１の低摩擦座金３６１と第２の低摩擦座金３６２との間ですべりが生じることにより、外枠２の水平部２１と下がり壁４３（すなわち、上側の梁１１１ａ）とが、左右方向（上側の梁１１１ａの延伸方向）に相対的に変位可能である。特に、水平部２１の表面に比較して摩擦係数の低い第１の低摩擦座金３６１と第２の低摩擦座金３６２とが直接に接触しているため、スムーズな相対変位が可能となる。一方、ナット３８が締結されているため、外枠２の水平部２１と下がり壁４３とは、前後方向の相対的な変位は規制される。このように、外枠２は、すべり支承部３においてすべり支承される。
【００５９】
なお、すべり支承部３の具体的な位置や数は特に限定されない。例えば、図１や図２に示すように、左右方向に所定の距離をおいて２カ所に設けられる構成のみならず、１箇所に設けられる構成や、３カ所以上に設けられる構成であってもよい。また、図６においては下がり壁４３にネジ３３が突設される構成を例に示すが、このような構成に限定されない。例えば、下がり壁４３にナット（雌ネジ）が埋設され、室内側からネジ（ボルト）が締結される構成であってもよい。要は、水平部２１とこの水平部２１の室外側と室内側に設けられる２枚ずつの第１の低摩擦座金３６１および第２の低摩擦座金３６２とが共締めされる構成であればよい。
【００６０】
（作用および効果等）
次に、本発明の実施形態の作用および効果について説明する。図７は、本発明の実施形態の効果を説明する模式図である。なお、図７においては、作用および効果を分かりやすく説明するため、各部材や建具の変形量を強調して示している。また、図７においては、図１の例を示すが、図２に示す例も同様である。図７に示すように、地震発生時には、上側の梁１１１ａと下側の梁１１１ｂとが互いに反対方向に相対的に移動することがある。この場合には、構造体開口領域１２は、前後方向視で長方形または正方形から略平行四辺形に変形する（歪む）。
【００６１】
従来のような、サッシュ枠やドア枠が上側の梁と下側の梁とに固定される構成では、上側の梁と下側の梁との相対的な変位に伴ってサッシュ枠やドア枠が略平行四辺形に変形する。そして、変形が大きくなると破損して開閉できなくなることがある。これに対して、本発明の実施形態では、サッシュ枠５１１やドア枠５２１は、下側の梁１１１ｂと外枠２に固定される。そして、外枠２は、２本の垂直部２２の下端部が下側の梁１１１ｂに固定され、水平部２１はすべり支承部３において下がり壁４３（上側の梁１１１ａ）に相対的に変位可能に支承される。さらに、垂直部２２の下端部とすべり支承部３以外の箇所は、主構造体１１や所定の壁４に強度的に結合されない。このような構成であると、上側の梁１１１ａと下側の梁１１１ｂとが反対方向に相対的に変位した場合には、水平部２１が下がり壁４３に対してスライドするように相対的に変位する。これにより、外枠２の変形や破損が防止または抑制され、外枠２に固定される窓サッシュ５１やドアユニット５２の変形や破損が防止または抑制される。したがって、窓サッシュ５１やドアユニット５２が開閉できなくなることがない。
【００６２】
また、本発明の実施形態では、外枠２および窓サッシュ５１やドアユニット５２は、構造体開口領域１２に設けられる所定の壁４よりも室内側にずれた位置に設けられる。このような構成であると、上側の梁１１１ａと下側の梁１１１ｂとの左右方向の変位に伴って所定の壁４が左右方向に変位した場合であっても、所定の壁４と外枠２とは接触しない。このため、外枠２が所定の壁４に押されて変形したり破損したりすることがない。
【００６３】
例えば、従来一般的には、サッシュ枠やドア枠は方立壁や梁に固定されており、それらの間には防水などのためにモルタルが隙間なく充填されている。このような従来構成では、梁や柱が変形した場合には、窓サッシュやドアユニットがモルタルを介して壁や柱に押されて変形し、破損することがある。また、サッシュ枠が壁に固定されている構成では、固定箇所を介して窓サッシュやドアユニットに力が伝わるため、固定箇所を起点として変形や破損することがある。これに対して、本発明の実施形態によれば、このような変形や破損の発生が防止または抑制される。したがって、外枠２に固定されて支持される窓サッシュ５１やドアユニット５２が開閉できなくなることがない。
【００６４】
また、本発明の実施形態では、すべり支承部３におけるすべり面は、左右方向および上下方向に平行な面（すなわち、水平面ではなく垂直面）である。このような構成であると、すべり支承部３には各部材や建具の重さが掛からないため、すべり支承部３の強度を高くしなくてもよい。したがって、すべり支承部３の小型化や構造の単純化を図ることができる。
【００６５】
さらに、本発明の実施形態では、方立壁４１および袖壁４２は、それぞれ上下方向に分離している。このような構成であると、方立壁４１や袖壁４２の破損が防止または抑制される。例えば、従来のような、方立壁や袖壁が上下方向に分離しておらず、上側の梁と下側の梁の両方に固定される構成であると、上側の梁と下側の梁とが反対方向に相対的に変位した場合には、方立壁や袖壁にせん断力が掛かる。また、上側の梁と下側の梁とが上下方向に相対的に変位した場合には、方立壁や袖壁に引張力や圧縮力が掛かる。このため、従来構成では、これらの力によって方立壁や袖壁が破損することがある。
【００６６】
これに対して、本発明の実施形態では、上側の梁１１１ａと下側の梁１１１ｂとが左右反対方向に相対的に変位した場合には、上部壁４１１，４２１は上側の梁１１１ａと一体に変位し、下部壁４１２，４２２は下側の梁１１１ｂと一体に変位する。このため、上部壁４１１，４２１と下部壁４１２，４２２にはせん断力が掛からない。また、上部壁４１１，４２１と下部壁４１２，４２２とが上下方向に所定の距離をおいて離れているから、上側の梁１１１ａと下側の梁１１１ｂとが上下反対方向に変位した場合であっても、引張力や圧縮力が掛からない。したがって、方立壁４１と袖壁４２の破損が防止または抑制される。
【００６７】
また、方立壁４１や袖壁４２と柱１１２とは直接結合しておらず、それらの間に上下方向に延伸するスリット状の隙間４０３，４０５が設けられる。このような構成であれば、方立壁４１や袖壁４２と柱１１２とが変位しても、接触が防止または抑制される。したがって、方立壁４１や袖壁４２が柱１１２に押されて破損することが防止または抑制される。また、方立壁４１や袖壁４２と柱１１２とが直接に結合される構成であると、結合箇所に力が掛かり、結合箇所を起点として破損が生じることがある。これに対して、本発明の実施形態では、方立壁４１や袖壁４２と柱１１２とは直接に結合していないことから、このような破損は発生しない。
【００６８】
同様に、下がり壁４３と方立壁４１および袖壁４２とは直接結合しておらず、それらの間にも上下方向に延伸するスリット状の隙間４０４が設けられる。このような構成であれば、下がり壁４３と方立壁４１や袖壁４２との間では力が伝わらないから、下がり壁４３や方立壁４１や袖壁４２の破損が防止または抑制される。換言すると、下がり壁４３と方立壁４１や袖壁４２との間の隙間４０４により、力が吸収される。
【００６９】
このように、本発明の実施形態によれば、地震によって建物１が横揺れした場合に、構造体開口領域１２に設けられる窓サッシュ５１やドアユニット５２の破損や変形を防止または抑制し、窓サッシュ５１やドアユニット５２を開閉可能な状態に維持できる。したがって、地震などの災害時において、窓サッシュ５１やドアユニット５２からの避難が可能となり、緊急避難経路が確保される。
【００７０】
さらに、本発明の実施形態によれば、外枠２に固定されるサッシュ枠５１１やドア枠５２１のみならず、所定の壁４の破損が防止または抑制される。このため、梁１１１や柱１１２などの主構造体１１が破損していなければ、そのまま建物１の使用を継続できる。すなわち、建物１の主構造体１１は、構造体開口領域１２に外枠２や所定の壁４が設けられていない状態であっても、必要な強度を保っている。したがって、主構造体１１を構成する梁１１１や柱１１２が破損していなければ、建物１の使用に差し支えはない。しかしながら、梁１１１や柱１１２などが破損していなくても、構造体開口領域１２に設けられる所定の壁４が破損した場合には、これらを修理しなければならず、修理中は建物１を使用できない。これに対して、本発明の実施形態によれば、所定の壁４の破損が防止または抑制されるから、建物１の使用を継続できる。
【００７１】
また、本発明の実施形態では、サッシュ枠５１１やドア枠５２１は、外枠２に固定される。このような構成であると、外枠２に固定される窓サッシュ５１やドアユニット５２の構成が限定されない。すなわち、窓サッシュ５１やドアユニット５２の構成にかかわらず、本発明の実施形態の効果を奏することができる。したがって、窓サッシュ５１やドアユニット５２の構成の自由度を高くできる。
【００７２】
以上、本発明の実施形態について詳細に説明したが、前述の実施形態は、本発明を実施するにあたっての具体例を示したに過ぎない。本発明の技術的範囲は、前記実施形態に限定されるものではない。本発明は、その趣旨を逸脱しない範囲において、種々の変更が可能である。
【産業上の利用可能性】
【００７３】
本発明は、窓サッシュやドアユニットなどの開閉可能な建具を有する建物に有効な技術である。本発明によれば、地震によって建物が横揺れした場合であっても、窓サッシュやドアユニットの破損を抑制できる。
【符号の説明】
【００７４】
１：建物
１１：主構造体
１１１：梁
１１１ａ：上側の梁
１１１ｂ：下側の梁
１１２：柱
１２：構造体開口領域
１２１：アンカー
１２２：支持プレート
１２３：アングルピース
２：外枠
２０１：分割体
２１：水平部
２１１：分割部
２２：垂直部
３：すべり支承部
３１：プレート部材
３２：水平部に設けられる長穴
３３：ネジ
３４：埋め込み用アンカー
３５：座金
３６１：第１の低摩擦座金
３６２：第２の低摩擦座金
３７：スプリングワッシャ
３８：ナット
４：構造体開口領域に設けられる所定の壁
４０１：方立壁の上部壁と下部壁との間の隙間
４０２：袖壁の上部壁と下部壁との間の隙間
４０３：袖壁と柱との間の隙間
４０４：下がり壁と方立壁や袖壁との間の隙間
４０５：方立壁と柱との間の隙間
４１：方立壁
４１１：方立壁の上部壁
４１２：方立壁の下部壁
４２：袖壁
４２１：袖壁の上部壁
４２２：袖壁の下部壁
４３：下がり壁
５１：窓サッシュ
５１１：サッシュ枠
５１２：サッシュ窓
５２：ドアユニット
５２１：ドア枠
５２２：ドア本体
６０１：防火材、断熱材
６０２：シール
【図１】
2018021384.tif 000003
【図２】
2018021384.tif 000004
【図３】
2018021384.tif 000005
【図４】
2018021384.tif 000006
【図５】
2018021384.tif 000007
【図６】
2018021384.tif 000008
【図７】
2018021384.tif 000009